(57)【特許請求の範囲】
【請求項１】
他の通信装置からの信号の伝送に割当てられるリソースブロック数が所定の個数以下の場合は、前記他の通信装置からの受信信号に含まれる第１のシンボルの既知信号と複数の参照信号候補との第１の相関演算を行なって第１の相関値を算出し、前記受信信号に含まれる第２のシンボルの既知信号と複数の参照信号候補との第２の相関演算を行って第２の相関値を算出し、前記第１の相関値と前記第２の相関値との重み付け加算値が最大となる参照信号候補を参照信号として選択する参照信号選択部と、
前記選択された参照信号を用いて、アダプティブアレイ受信処理を行なうアダプティブアレイ受信処理部とを備えた、通信装置。
【請求項２】
前記参照信号選択部は、前記割当てられるリソースブロック数が所定の個数を超える場合は、前記第１のシンボルまたは前記第２のシンボルの既知信号と複数の参照信号候補との相関演算を行なって相関値を算出し、前記相関値が最大となる参照信号候補を参照信号として選択する、請求項１記載の通信装置。
【請求項３】
前記参照信号選択部は、前記第１のシンボルの既知信号の電力を第１の電力として算出し、前記第２のシンボルの既知信号の電力を第２の電力として算出し、前記第１の電力と前記第１の相関値との乗算値と、前記第２の電力と前記第２の相関値との乗算値とを加算することによって、前記重み付け加算値を算出する、請求項１記載の通信装置。
【請求項４】
他の通信装置からの受信信号に含まれる第１のシンボルの既知信号と複数の参照信号候補との第１の相関演算を行なって第１の相関値を算出し、前記第１の相関値の最大値が所定の閾値以下のときには、前記受信信号に含まれる第２のシンボルの既知信号と複数の参照信号候補との第２の相関演算を行って第２の相関値を算出し、前記第１の相関値と前記第２の相関値との重み付け加算値が最大となる参照信号候補を参照信号として選択する参照信号選択部と、
前記選択された参照信号を用いて、アダプティブアレイ受信処理を行なうアダプティブアレイ受信処理部とを備えた、通信装置。
【請求項５】
前記参照信号選択部は、前記第１の相関値の最大値が前記所定の閾値を超える場合には、前記第１の相関値が最大となる参照信号候補を参照信号として選択する、請求項４記載の通信装置。
【請求項６】
前記参照信号選択部は、前記第１のシンボルの既知信号の電力を第１の電力として算出し、前記第２のシンボルの既知信号の電力を第２の電力として算出し、前記第１の電力と前記第１の相関値との乗算値と、前記第２の電力と前記第２の相関値との乗算値とを加算することによって、前記重み付け加算値を算出する、請求項４記載の通信装置。
【請求項７】
前記受信信号は、ＳＣ−ＦＤＭＡ方式で送信される信号であり、
前記複数の参照信号候補は、式（１）で表わされるｒi,tである、
【数７】
0005628646.tif 000008
ただし、ＴはＳＣ−ＦＤＭＡシンボルの時間長、ＴｃｐはＣＰ（Cyclic Prefix）の時間長、ｊは虚数単位、ｉはサブキャリアの番号を表わし、ｔは位相位置を表わし。ｒiorgは、サブキャリア番号ｉのオリジナルの参照信号を表わす、請求項１記載の通信装置。
【請求項８】
前記受信信号に含まれる既知信号は、復調レファレンス信号（Demodulation Reference Signal: DMRS）である、請求項７記載の通信装置。
【請求項９】
前記通信装置は、
受信した信号の先頭から時間長Ｔｃｐ分を除去するＣＰ除去部と、
前記ＣＰ除去部から出力される信号をフーリエ変換するフーリエ変換部とをさらに備え、
前記参照信号選択部は、前記フーリエ変換部から出力される信号に含まれる既知信号と複数の参照信号候補との前記相関演算を行ない、
前記アダプティブアレイ受信処理部は、前記フーリエ変換部から出力される信号をアダプティブアレイ受信処理する、請求項８記載の通信装置。
【請求項１０】
他の通信装置から信号を受信する通信装置の通信方法であって、
前記信号の伝送に割当てられるリソースブロック数が所定の個数以下の場合は、前記他の通信装置からの受信信号に含まれる第１のシンボルの既知信号と複数の参照信号候補との第１の相関演算を行なって第１の相関値を算出し、前記受信信号に含まれる第２のシンボルの既知信号と複数の参照信号候補との第２の相関演算を行って第２の相関値を算出し、前記第１の相関値と前記第２の相関値との重み付け加算値が最大となる参照信号候補を参照信号として選択するステップと、
前記選択された参照信号を用いて、アダプティブアレイ受信処理を行なうステップとを備えた、通信方法。
【発明の詳細な説明】
【技術分野】
【０００１】
本発明は、通信装置および通信方法に関し、特に、アダプティブアレイ受信機能を備えた通信装置、およびそのような通信装置の通信方法に関する。
【背景技術】
【０００２】
ＴＤ−ＬＴＥ（Time Division Duplex Long-Term Evolution)システムなどの通信システムでは、上り信号の送信に、ＳＣ−ＦＤＭＡ(Single Carrier Frequency Division Multiple Access)方式を採用している。各ＳＣ−ＦＤＭＡシンボルには、データ信号の前に遅延を吸収するためのＣＰ(Cyclic Prefix）と呼ばれる繰り返し信号が付加されて送信される（たとえば、特許文献１（特開２０１０−１３６３４７号公報）を参照）。
【０００３】
ＣＰが付加されることによって、受信側では、ＣＰ区間内であればどのタイミングでもキャリア間干渉やシンボル間干渉を発生させることなく受信した信号のＦＦＴ（Fast Fourier Transform）処理が可能となる。
【先行技術文献】
【特許文献】
【０００４】
【特許文献１】特開２０１０−１３６３４７号公報
【発明の概要】
【発明が解決しようとする課題】
【０００５】
ところで、ＦＦＴ処理のタイミングの違いによってＦＦＴ処理後の信号の各サブキャリアの位相関係が変化する。よって、ＦＦＴ処理後の信号を用いてアダプティブアレイ受信処理を行う場合は、ＦＦＴ処理タイミングに応じて各サブキャリアの位相関係を変化させた参照信号を使用する必要がある。
【０００６】
このような参照信号を選択するための手段として、予め各サブキャリアの位相を回転させた参照信号を複数個用意しておき、ＦＦＴ処理後の受信信号に含まれる復調レファレンス信号（Demodulation Reference Signal:DMRS）と複数の位相回転させた参照信号の相関を計算し、複数個の参照信号の中から相関値が最も大きくなる参照信号を選択し、選択された参照信号を使用してアダプティブアレイ処理を行なう方法が考えられる。
【０００７】
しかしながら参照信号を適切に選択することができない場合がある。たとえば、ＴＤ−ＬＴＥシステムでは、最小割り当て単位であるリソースブロックは、１２個のサブキャリア数しか含まない。割り当てられるリソースブロックの数が少ない場合には、相関値にはっきりしたピークがでないため、参照信号の選択を誤る場合がある。誤って参照信号を用いてアダプティブアレイ受信処理が行なわれると、アダプティブアレイ受信処理の効果が得られず、受信性能が劣化する。
【０００８】
それゆえに、本発明の目的は、相関値に顕著なピークが出ない場合でも、アダプティブアレイ受信処理の効果を得ることができる通信装置および通信方法を提供することである。
【課題を解決するための手段】
【０００９】
上記課題を解決するために、本発明の通信装置は、他の通信装置からの信号の伝送に割当てられるリソースブロック数が所定の個数以下の場合は、他の通信装置からの受信信号に含まれる第１のシンボルの既知信号と複数の参照信号候補との第１の相関演算を行なって第１の相関値を算出し、受信信号に含まれる第２のシンボルの既知信号と複数の参照信号候補との第２の相関演算を行って第２の相関値を算出し、第１の相関値と第２の相関値との重み付け加算値が最大となる参照信号候補を参照信号として選択する参照信号選択部と、選択された参照信号を用いて、アダプティブアレイ受信処理を行なうアダプティブアレイ受信処理部とを備える。
【発明の効果】
【００１０】
本発明によれば、相関値に顕著なピークが出ない場合でも、アダプティブアレイ受信処理の効果を得ることができる。
【図面の簡単な説明】
【００１１】
【図１】本発明の実施形態の無線通信システムで伝送されるフレームの構成を表わす図である。
【図２】サブフレームの構成を表わす図である。
【図３】サブフレームの構成を表わす図である。
【図４】ＳＣ−ＦＤＭＡシンボルの構成を表わす図である。
【図５】本発明の実施形態の無線基地局の構成を表わす図である。
【図６】割り当てられるリソースブロックの数と相関値との関係を説明するための図である。
【図７】本発明の第１の実施形態の無線基地局による参照信号の選択手順を表わすフローチャートである。
【図８】ユーザへのリソースブロックの割当ての例を表わす図である。
【図９】本発明の第２の実施形態の無線基地局による参照信号の選択手順を表わすフローチャートである。
【発明を実施するための形態】
【００１２】
以下、本発明の実施形態について図面を参照して説明する。
［第１の実施形態］
（フレーム）
図１は、本発明の実施形態の無線通信システムで伝送されるフレームの構成を表わす図である。
【００１３】
図１に示すように、１フレームは、１０ｍｓの時間で伝送される。１フレームは、ハーフフレームに分割される。各ハーフフレームは、時間順に、ダウンリンクサブフレームＤＬ、切替サブフレームＳ、２つの連続するアップリンクサブフレームＵＬ、ダウンリンクサブフレームＤＬで構成される。
【００１４】
ここで、切替サブフレームＳは、ＤｗＰＴＳ（Downlink Pilot Timeslot）と、ＧＰ（Guard Period：ガード期間）と、ＵｐＰＴＳ（Uplink Pilot Timeslot）で構成される。ＵｐＰＴＳは、２個のＳＣ−ＦＤＭＡシンボルで構成される。
【００１５】
（サブフレーム）
図２および図３は、アップリンクサブフレームＵＬの構成を表わす図である。
【００１６】
図２を参照して、１個のサブフレームは、２個のスロットで構成される。各スロットは、７個のＳＣ−ＦＤＭＡシンボルで構成される。各ＳＣ−ＦＤＭＡシンボルに含まれるリソースブロックＲＢの数が、たとえば６個の場合には、各リソースブロックＲＢは１２個のサブキャリアを含むので、各ＳＣ−ＦＤＭＡシンボルは、７２個のサブキャリアを含む。各スロットの第４番目のスロットには、ＤＭＲＳが配置される。このＤＭＲＳを用いて、受信信号の各サブキャリアの位相関係が導かれる。
【００１７】
図３を参照して、リソースブロックは、１２個のサブキャリアを含む。１個のサブフレームは、６個のリソースブロックＲＢ０〜ＲＢ６を含む。リソースブロックＲＢ０は、第０サブキャリア〜第１１サブキャリアを含む。リソースブロックＲＢ１は、第１２サブキャリア〜第２３サブキャリアを含む。リソースブロックＲＢ２は、第２４サブキャリア〜第３５サブキャリアを含む。リソースブロックＲＢ３は、第３６サブキャリア〜第４７サブキャリアを含む。リソースブロックＲＢ４は、第４８サブキャリア〜第５９サブキャリアを含む。リソースブロックＲＢ５は、第６０サブキャリア〜第７１サブキャリアを含む。
【００１８】
（シンボル）
図４は、ＳＣ−ＦＤＭＡシンボルの構成を表わす図である。
【００１９】
図４に示すように、ＳＣ−ＦＤＭＡシンボルの先頭には、このシンボルの最後の部分のコピーであるＣＰが付加されている。ＣＰの時間長をＴｃｐ、データ部分の時間長をＴとする。
【００２０】
（無線基地局の構成）
図５は、本発明の実施形態の無線基地局の構成を表わす図である。
【００２１】
図５を参照して、この無線基地局１は、アンテナ２ａ，２ｂと、ＦＥ部３ａ，３ｂと、ＣＰ除去部４ａ，４ｂと、ＦＦＴ部５ａ，５ｂと、アダプティブアレイ受信処理部６と、信号処理部７と、リソース割当部８と、参照信号選択部９とを備える。
【００２２】
ＦＥ部３ａ，３ｂは、アンテナ２ａ，２ｂで受信した信号の周波数変換、増幅、およびＡ／Ｄ変換を行なう。
【００２３】
ＣＰ除去部４ａ，４ｂは、ＦＥ部３ａ，３ｂから出力される信号の先頭からＣＰの時間長Ｔｃｐ分を除去する。
【００２４】
ＦＦＴ部５ａ，５ｂは、ＣＰ除去部４ａ，４ｂから出力される信号をＦＦＴする。
アダプティブアレイ受信処理部６は、参照信号選択部９で選択された参照信号を用いて、ＦＦＴ部５ａ，５ｂから出力される信号のアダプティブアレイ受信処理を行なう。
【００２５】
信号処理部７は、アダプティブアレイ受信処理された信号を復号および復調する。
リソース割当部８は、各無線端末（ユーザ）とのデータ通信のためのリソースブロックを割り当てる。
【００２６】
参照信号選択部９は、通信相手の無線端末（ユーザ）ごとに、割当てリソースブロックの数に応じてサブキャリア間位相関係を求める手法（参照信号選択処理）を切り替える。すなわち、参照信号選択部９は、割当てリソースブロックの数が閾値を超える場合には、１つのシンボルのＤＲＭＳを用いて相関計算を実施し、相関値が最大となる位相を特定することによって参照信号を選択する。参照信号選択部９は、割当てリソースブロックの数が閾値を以下の場合には、第１のシンボルのＤＲＭＳを用いた相関計算と第２のシンボルのＤＲＭＳを用いた相関計算を実施し、２つの相関値の重み付け加算値が最大となる位相を特定することによって参照信号を選択する。
【００２７】
具体的には、参照信号選択部９は、参照信号候補記憶部１７と、相関演算部１０と、電力演算部１１と、重み付け加算部１２と、参照信号位置決定部１３と、参照信号決定部１４とを備える。
【００２８】
参照信号候補記憶部１７は、式（１）で示されるような、ＦＦＴタイミングに応じて位相回転させた複数の参照信号ｒi,tを予め保持している。ここで、ＴはＳＣ−ＦＤＭＡシンボルの時間長、ＴｃｐはＣＰの時間長、ｊは虚数単位、ｉはサブキャリアの番号を表わす。ｔ（０〜８）は、図５に示す位相位置を表わし、ｔはＦＦＴのタイミング位置となる。ｒiorgは、サブキャリア番号ｉのオリジナルの参照信号、つまりつまりＦＦＴタイミングのずれによる位相回転が「０」の参照信号を表わす。
【００２９】
【数１】
0005628646.tif 000002
【００３０】
相関演算部１０は、ＦＦＴタイミングごとの参照信号ｒi,tと第３シンボル、第１０シンボルのＤＲＭＳとの相関値Ｃ1t、Ｃ2t（ｔ＝０〜８）を式（２）（３）に従って計算する。
【００３１】
【数２】
0005628646.tif 000003
【００３２】
ここで、Ｓはユーザに割り当てられているリソースブロック（複数個のリソースブロックが割り当てられている場合には番号が最も小さいリソースブロック）の先頭のサブキャリア番号を表わし、Ｅはユーザに割り当てられているリソースブロック（複数個のリソースブロックが割り当てられている場合には番号が最も大きいリソースブロック）の末尾のサブキャリア番号を表わす。たとえば、あるユーザに、リソースブロックＲＢ０とＲＢ１とが割り当てられている場合には、Ｓは０であり、Ｅは２３である。
【００３３】
ａi,3は、サブキャリア番号がｉで、かつシンボル番号が３の箇所に配置されているＦＦＴ処理後の受信信号を表わす。この受信信号はＤＲＭＳである。ａi,10は、サブキャリア番号がｉで、かつシンボル番号が１０の箇所に配置されているＦＦＴ処理後の受信信号を表わす。この受信信号はＤＲＭＳである。ｒi,t*は、ｒi,tの複素共役である。
【００３４】
電力演算部１１は、式（４）、（５）に従って、電力Ｐ1，Ｐ2を計算する。
【００３５】
【数３】
0005628646.tif 000004
【００３６】
重み付け加算部１２は、式（６）に従って、重み付け加算値Ｓt（ｔ＝０〜８の整数）を計算する。
【００３７】
【数４】
0005628646.tif 000005
【００３８】
参照信号位置決定部１３は、無線端末に割当てられたリソースブロックＲＢの数Ｎ＿ＲＢが閾値ＴＨ１を超える場合には、相関値Ｃ1t（ｔ＝０〜８の整数）が最大となるｔをｔｍａｘとして特定する。参照信号位置決定部１３は、無線端末に割当てられたリソースブロックＲＢの数Ｎ＿ＲＢが閾値ＴＨ１以下の場合には、重み付け加算値Ｓt（ｔ＝０〜８の整数）が最大となるｔをｔｍａｘとして特定する。ここで、閾値ＴＨ１は、シミュレーションなどによって最適な値を設定することが可能である。
【００３９】
参照信号決定部１４は、参照信号ｒi,tmax（ｉ＝Ｓ〜Ｅ）をアダプティブアレイ受信処理部６へ出力する。
【００４０】
（ＲＢ数と相関値）
図６は、割り当てられるリソースブロックの数と相関値との関係を説明するための図である。
【００４１】
図６（ａ）は、割り当てられるリソースブロックＲＢの数が１個の場合における、複数の参照信号候補について、その参照信号候補を用いて計算した相関値を表わす図である。
【００４２】
図６（ａ）に示すように、位置ｔａでの参照信号候補を用いて計算した相関値が最大値ＰＡとなる。この最大値は、鈍いピーク値となっており、位置ｔａでの参照信号候補を参照信号として用いることが適切である可能性が高くない。
【００４３】
図６（ｂ）は、割り当てられるリソースブロックＲＢの数が５０個の場合における、複数の参照信号候補について、その参照信号候補を用いて計算した相関値を表わす図である。
【００４４】
図６（ｂ）に示すように、位置ｔｂでの参照信号候補を用いて計算した相関値が最大値ＰＡとなる。この最大値は、鋭いピーク値となっており、位置ｔｂでの参照信号候補を参照信号として用いることが適切である可能性が高い。
【００４５】
（動作）
図７は、第１の実施形態の無線基地局による参照信号の選択手順を表わすフローチャートである。
【００４６】
図７を参照して、まず、無線端末から受信したＤＲＭＳが参照信号選択部９へ送られる（ステップＳ１０１）。
【００４７】
無線端末に割当てられたリソースブロックＲＢの数Ｎ＿ＲＢが閾値ＴＨ１を超える場合には（ステップＳ１０２でＹＥＳ）、相関演算部１０は、式（２）に従って、相関値Ｃ1t（ｔ＝０〜８の整数）を計算する（ステップＳ１０２）。さらに、参照信号位置決定部１３は、相関値Ｃ1t（ｔ＝０〜８の整数）が最大となるｔをｔｍａｘとして特定する（ステップＳ１０３）。
【００４８】
無線端末に割当てられたリソースブロックＲＢの数Ｎ＿ＲＢが閾値ＴＨ１以下の場合には（ステップＳ１０２でＮＯ）、電力演算部１１は、式（４）、（５）に従って、電力Ｐ1、Ｐ2を計算する（ステップＳ１０６）。さらに、相関演算部１０は、式（２）、（３）に従って、相関値Ｃ1t、Ｃ2t（ｔ＝０〜８の整数）を計算する（ステップＳ１０７）。さらに、重み付け加算部１２は、式（６）に従って、重み付け加算値Ｓt（ｔ＝０〜８の整数）を計算する（ステップＳ１０８）。参照信号位置決定部１３は、重み付け加算値Ｓt（ｔ＝０〜８の整数）が最大となるｔをｔｍａｘとして特定する（ステップＳ１０９）。
【００４９】
参照信号決定部１４は、参照信号ｒi,tmax（ｉ＝Ｓ〜Ｅ）をアダプティブアレイ受信処理部６へ出力する。アダプティブアレイ受信処理部６は、参照信号ｒi,tmax（ｉ＝Ｓ〜Ｅ）を用いてアダプティブアレイ受信処理を行なう（ステップＳ１０５）。
【００５０】
（例）
図８は、ユーザへのリソースブロックの割当ての例を表わす図である。
【００５１】
図８に示すように、ユーザＡには、リソースブロックＲＢ０が割り当てられ、ユーザＢには、リソースブロックＲＢ１、ＲＢ２、ＲＢ３が割り当てられている。閾値ＴＨ１は、「２」であるとする。
【００５２】
ユーザＡの割当てリソースブロックの数は１であり、閾値ＴＨ１以下である。したがって、ユーザＡに対する参照信号として、式（７）の重み付け加算値Ｓt（ｔ＝０〜８の整数）が最大となる位置の参照信号が選択される。
【００５３】
【数５】
0005628646.tif 000006
【００５４】
一方、ユーザＢの割当リソースブロックの数は３であり、閾値ＴＨ１を越えている。
したがって、ユーザＡに対する参照信号として、式（８）の相関値Ｃ1t（ｔ＝０〜８の整数）が最大となる位置の参照信号が選択される。
【００５５】
【数６】
0005628646.tif 000007
【００５６】
（効果）
以上のように、本実施の形態によれば、割り当てリソースブロックの数が少ない場合でも、相関計算に使用するＤＭＲＳのシンボル数を多く使用できるので、相関値のピークがでやすくなる。そのため、参照信号を選択する精度が増加し、アダプティブアレイ受信の効果も得られやすくなり、受信性能が向上する。また、一方のＤＭＲＳの受信電力がフェージングの影響などによって落ち込んだ場合であっても、２個のＤＭＲＳとの相関値を重みづけして加算することで、参照信号の選択の精度の劣化を抑えることができる。さらに、割り当てリソースブロック数が多い場合は、１つのシンボルのＤＭＲＳの相関値しか計算しないので、計算量を低減でき、その結果消費電力を削減できる。
【００５７】
［第２の実施形態］
第２の実施形態の無線基地局は、第１の実施形態の無線基地局と以下の点で相違する。
【００５８】
参照信号決定部１４は、相関値Ｃ1t（ｔ＝０〜８の整数）の最大値である相関値Ｃ1tmax1が閾値ＴＨ２を超える場合には、参照信号ｒi,tmax1（ｉ＝Ｓ〜Ｅ）をアダプティブアレイ受信処理部６へ出力し、アダプティブアレイ受信処理部６は、参照信号ｒi,tmax1（ｉ＝Ｓ〜Ｅ）を用いてアダプティブアレイ受信処理を行なう。
【００５９】
参照信号決定部１４は、相関値Ｃ1t（ｔ＝０〜８の整数）の最大値である相関値Ｃ1tmax1が閾値ＴＨ２以下の場合には、重み付け加算値Ｓt（ｔ＝０〜８の整数）の最大値がｔｍａｘ２のときに、参照信号ｒi,tmax2（ｉ＝Ｓ〜Ｅ）をアダプティブアレイ受信処理部６へ出力し、アダプティブアレイ受信処理部６は、参照信号ｒi,tmax2（ｉ＝Ｓ〜Ｅ）を用いてアダプティブアレイ受信処理を行なう。
【００６０】
（動作）
図９は、第２の実施形態の無線基地局による参照信号の選択手順を表わすフローチャートである。
【００６１】
図９を参照して、まず、無線端末から受信したＤＲＭＳが参照信号選択部９へ送られる（ステップＳ２０１）。
【００６２】
相関演算部１０は、式（２）に従って、相関値Ｃ1t（ｔ＝０〜８の整数）を計算する（ステップＳ２０２）。さらに、参照信号位置決定部１３は、相関値Ｃ1t（ｔ＝０〜８の整数）が最大となるｔをｔｍａｘ１として特定する（ステップＳ２０３）。
【００６３】
相関値Ｃ1tmax1が閾値ＴＨ２を越える場合には（ステップＳ２０４でＹＥＳ）、参照信号決定部１４は、参照信号ｒi,tmax1（ｉ＝Ｓ〜Ｅ）をアダプティブアレイ受信処理部６へ出力する。アダプティブアレイ受信処理部は、参照信号ｒi,tmax1（ｉ＝Ｓ〜Ｅ）を用いてアダプティブアレイ受信処理を行なう（ステップＳ１０５）。
【００６４】
相関値Ｃ1tmax1が閾値ＴＨ２以下の場合には（ステップＳ２０４でＮＯ）、電力演算部１１は、式（４）、（５）に従って、電力Ｐ1、Ｐ2を計算する（ステップ２０６）。さらに、相関演算部１０は、式（３）に従って、相関値Ｃ2t（ｔ＝０〜８の整数）を計算する（ステップＳ２０７）。さらに、重み付け加算部１２は、式（６）に従って、重み付け加算値Ｓt（ｔ＝０〜８の整数）を計算する（ステップＳ２０８）。参照信号位置決定部１３は、重み付け加算値Ｓt（ｔ＝０〜８の整数）が最大となるｔをｔｍａｘ２として特定する（ステップＳ２０９）。
【００６５】
次に、参照信号決定部１４は、参照信号ｒi,tmax2（ｉ＝Ｓ〜Ｅ）をアダプティブアレイ受信処理部６へ出力する。アダプティブアレイ受信処理部６は、参照信号ｒi,tmax2（（ｉ＝Ｓ〜Ｅ）を用いてアダプティブアレイ受信処理を行なう（ステップＳ２１０）。
【００６６】
（効果）
以上のように、本実施の形態によれば、１つのシンボルのＤＭＲＳを用いた相関値が小さい場合には、２個のＤＭＲＳとの相関値を重みづけして加算することで、参照信号の選択の精度の劣化を抑えることができる。さらに、１つのシンボルのＤＭＲＳを用いた相関値が大きい場合には、１つのシンボルのＤＭＲＳの相関値しか計算しないので、計算量を低減でき、その結果消費電力を削減できる。
【００６７】
［変形例］
本発明は、上記の実施形態に限定されるものではなく、たとえば以下のような変形例も含む。
【００６８】
（１）  相関値
第１の実施形態では、無線端末に割当てられたリソースブロックＲＢの数Ｎ＿ＲＢが閾値ＴＨ１を超える場合には、相関値Ｃ1t（ｔ＝０〜８の整数）を用いて、参照信号の選択を行なったが、これに限定するものではない。相関値Ｃ2t（ｔ＝０〜８の整数）を用いて、参照信号の選択を行なってもよい。
【００６９】
また、第２の実施形態では、相関値Ｃ1tmax1が閾値を越える場合には、参照信号ｒi,tmax1（ｉ＝Ｓ〜Ｅ）が選択されたが、これに限定するものではない。相関値Ｃ2tmax1が閾値を越える場合には、参照信号ｒi,tmax1（ｉ＝Ｓ〜Ｅ）を選択することとしてもよい。
【００７０】
（２）  位相
本発明の実施形態では、式（１）に示すように、位相を８種類としたが、これに限定するものではなく、位相をＭ種類（Ｍは２以上の自然数）することとしてもよい。
【００７１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００７２】
２ａ，２ｂ  アンテナ、３ａ，３ｂ  ＦＥ部、４ａ，４ｂ  ＣＰ除去部、５ａ，５ｂ  ＦＦＴ部、６  アダプティブアレイ受信処理部、７  信号処理部、８  リソース割当部、９  参照信号選択部、１０  相関演算部、１１  電力演算部、１２  重み付け加算部、１３  参照信号位置決定部、１４  参照信号決定部。
【図１】
0005628646.tif 000009
【図２】
0005628646.tif 000010
【図３】
0005628646.tif 000011
【図４】
0005628646.tif 000012
【図５】
0005628646.tif 000013
【図６】
0005628646.tif 000014
【図７】
0005628646.tif 000015
【図８】
0005628646.tif 000016
【図９】
0005628646.tif 000017